(57)【特許請求の範囲】
【請求項１】
供え花、あるいは容器入り供え花の、容器のみ、又は供え花のみ、又は容器と供え花双方を、吹き付ける風により回転する垂直軸風車の遠心調速機の機構により風量調整カバーを上下させて、風の量を調整しながら垂直軸風車で回転させることを特徴とするお墓の花。
【請求項２】
供え花、あるいは容器入り供え花の、容器のみ、又は供え花のみ、又は容器と供え花双方を、ベンチュリに吹き付ける風による圧力変化を利用してベローズにより風量調整カバーを上下させて、風の量を調整しながら垂直軸風車で回転させることを特徴とするお墓の花。
【発明の詳細な説明】
【技術分野】
【０００１】
本発明は、供え花、あるいは容器入り供え花の、容器のみ、又は供え花のみ、又は容器と供え花双方を、風の量を調整しながら風車で回転させて趣のある供え花とするお墓の花に関するものである。
【背景技術】
【０００２】
以下、従来のお墓の供え花用花立てとしては、台に垂直方向の花立孔を設け、この花立孔内に嵌入され、該花立孔の内径より径小にして花立孔の底から所定の間隔が保有せしめられる長さの筒状花立を設け、この筒状花立の上部側に花立孔の上部内面に当接する受径大部を形成し、この受径大部若しくは筒状花立の外周に該筒状花立を花立孔内に嵌入した際、該花立孔の開口上縁に係止される鍔部を形成したことを特徴とする墓花台。（特許文献１）の（請求項１）がある。
【０００３】
また、有底筒状をなす内筒と、この内筒の外周面に向けて延設され、かつ、外周面に水密に密着される底部を備えた外筒とを備えると共に、前記内筒には、該内筒と外筒との構成する空間を連通する穴が透設してあることを特徴とする墓標用花立て。（特許文献２）の（請求項１）がある。
【０００４】
しかし、お墓の供え花と花立ては、花立てに水を注ぎ生花等を入れるものは多いが、風の量を調整しながら風車で回転させて趣のある供え花とするものは見当たらない。
【先行技術文献】
【特許文献】
【０００５】
【特許文献１】特開平０８−０１３８５５号公報
【特許文献２】特開平０８−１９９８５５号公報
【発明の概要】
【発明が解決しようとする課題】
【０００６】
解決しようとする問題点は、従来のお墓の供え花と花立ては、花立てに水を注ぎ生花等を入れることで用を成していたので、花はただ立っているだけで動きが無く物足りないという点である。
【課題を解決するための手段】
【０００７】
本発明は、供え花として造花、又は植物を模した水中花、又は薬品等により長期保存可能とした切花を使用した水中花を、容器のみ、又は供え花のみ、又は容器と供え花双方を、風の量を調整しながら風車で回転することを最も主要な特徴とする。
【発明の効果】
【０００８】
本発明のお墓の花は、供え花として造花、又は植物を模した水中花、又は薬品等により長期保存可能とした切花を使用した水中花を、容器のみ、又は供え花のみ、又は容器と供え花双方を、風の量を調整しながら風車で回転するので供え花に動きが出て趣がある。生花も使用可能ではあるが、造花や水中花を用いたほうが花立てに水が不要になり、水等が腐敗して悪臭が発生したり、蚊の発生源となるなどの点が無くなり好ましい。
【図面の簡単な説明】
【０００９】
【図１】図１はお墓の花の風車と花入り容器とが、共に回転軸中心で回転できるとした例の断面図である。
【図２】図２は図１の例の平面図である。
【図３】図３は図１から上部リンクを取り去り、下部リンクを延長した例の断面図である。
【図４】図４は図１の風車のリンク機構を、ベローズとベンチュリに置き換えた例の断面図である。
【図５】図５は容器を軸保持具に固定し、風車と容器内の花とが共に回転軸中心で回転できるとした例の断面図である。
【図６】図６は花を軸保持具に固定し、風車と花の容器は共に回転できるとした例の断面図である。
【図７】図７は容器内の軸を取り、風車と花入り容器とが共に回転できるとした例の断面図である。
【図８】図８は花と花立てを軸保持具より上に取り付けた例の断面図である。
【図９】図９は風車の回転を減速する装置として、遊星歯車機構を取り付けた例の断面図である。
【図１０】図１０は回転軸を軸保持具から吊り下げた例の断面図である。
【図１１】図１１は固定軸を片持ち軸保持具に固定し、風車と花の容器は共に回転できるとした例の断面図である。
【発明を実施するための形態】
【００１０】
供え花に動きをつけるという目的を、風量の増減に応じて風車に当たる風の量を調整して、風車と共に回転する供え花の、容器のみ、又は供え花のみ、又は容器と供え花双方を回転させて趣のある供え花とする事で実現した。
【００１１】
以下に本発明の実施形態を、図面を参照しながら具体的に説明するがこの実施形態に限定されるものではない。図１は、図２のＡ−Ａ線の断面図であって、お墓の花の垂直軸風車１３と花入り容器１２とが共に回転軸１１中心で回転できるとした例の断面図であって、１は造花もしくは水中花の供え花である。また、２は風量調整カバー、３は風量調整リンク、４は軸保持具、５は設置台、６は安定装置、７は墓石である。
【００１２】
供え花１、容器１２、垂直軸風車１３は回転軸１１に取り付けてあり、遠心調速機の原理を利用する風量調整リンク３は回転軸ピン３４で回転軸１１に取り付けてあり、風量調整カバー２は風量調整カバーのボスピン２２とリンク機構を介して、回転軸１１と共に回転するように取り付けてある。
【００１３】
回転軸１１は軸保持具４で上下を回転自在に保持されている。軸保持具４は設置台５に固定してあり、さらに、安定装置の足６１はスプリング力で外側に開くようにしつらえてあり、設置台５に付属する安定装置６で設置台５を墓石７の花立て孔７１に固定する。その際、墓石７に接する設置台５の調整脚５１を調整することで回転軸１１の直立が調整できる。直立の調整のために簡易水準器を備えても良い。なお、お墓に花立て孔７１が無い時は地面に安定装置の足６１を差し込んで代用とする。また、軸保持具４と設置台５は一体化してもよい。
【００１４】
本発明のお墓の花に風が吹いてくると、垂直軸風車１３が回転し趣のある供え花になるが、早く回転し過ぎては趣どころではないので、風が強くなるにつれ風量調整リンク３下部のウエイト３３が遠心力で外側に開き、リンク機構を介して風量調整カバー２が下がり垂直軸風車１３への風を遮り回転速度を自律的に調整する。なお、趣は必要ない。スピードが命という方は垂直軸風車１３のみで調速機は不要である。
【００１５】
風量調整カバー２、風量調整リンク３、ウエイト３３、垂直軸風車１３は容器１２下部の回転軸１１に取り付けることも可能である。
【００１６】
容器１２は中に供え花１が入るので透明であることが望ましいが、容器１２には中の供え花１が見える程度に仏画などを描くと一段とありがたいものになる。また、風量調整カバー２にも絵や模様をつけると一段と映える。
【００１７】
なお、風量調整カバーのボス２１を上はボス部、下はスライダー部に分割し、風量調整カバーのボスピン２２はスライダーに移行し、風量調整カバー２は重力により上下させる事も考えられる。
【００１８】
図３は、図１から上部リンク３１を取り去り、下部リンク３２を延長した例の断面図であって、即ち、風量調整カバーのボスピン２２、上部リンク３１、リンクピン３６を取り除き、下部リンク３２が延長してある。遠心力でウエイト３３が広がり下部リンク３２の高さが低くなると風量調整カバー２の自重で、風量調整カバー２が下がるものである。風量調整リンク３を簡素化することでリンクの動きが不安定になるが、お墓の花は消耗品でもあるので動きが不安定でもコストを下げることを優先したものである。
【００１９】
図４は、図１の垂直軸風車１３のリンク機構を、ベローズ８とベンチュリ１４に置き換えた例の断面図であって、風量調整カバー２の上下運動を、ウエイト３３とリンク機構による方法から、ベローズ８とベンチュリ１４を利用する方法に変えたものである。
【００２０】
風量調整カバー２内側と垂直軸風車１３底部をベローズ８で結び、垂直軸風車１３下部と容器１２でベンチュリ形状を形成し、垂直軸風車１３底部にベローズ８内側に通じるベンチュリ用小穴１４１を設ける。風速の増減によりベンチュリ１４の圧力が変化して風量調整カバー２が上下して、垂直軸風車１３の回転速度を自律的に調整する。
【００２１】
なお、ベンチュリ形状は図４の例に限定されず、垂直軸風車１３下部と図にはないが垂直軸風車１３下部から突き出た整流板、又は回転軸１１に取り付けた整流板でつくってもよい。また、図４の例のベローズ８とベンチュリ用小穴１４１をほぼ上下逆とし、風量調整カバー２上にベンチュリ形状を設けてもよい。そのときの整流板は風量調整カバー２から突き出すか、又は風量調整カバーのボス２１に設ける。
【００２２】
図５は、花の容器１２を軸保持具４に固定し、垂直軸風車１３と容器１２内の花とが共に回転軸１１中心で回転できるとした例の断面図であって、容器１２と垂直軸風車１３を離し、容器１２に回転軸１１用の容器上部穴１５と容器下部穴１６を設け、容器１２は軸保持具４に固定し、容器１２の中の供え花１は回転可能とした例である。
【００２３】
図６は、花を軸保持具４に固定し、垂直軸風車１３と花の容器１２は共に回転できるとした例の断面図であって、供え花１の固定軸１１３の固定軸下端１１５を軸保持具４で固定して、上部回転軸Ａ１１１の上部回転軸Ａ凹部１１２に固定軸１１３の固定軸凸部１１４を回転自在に差し入れ、容器下部回転軸１７も中空で回転自在としてあるので、供え花１は回転せず、容器１２は垂直軸風車１３と共に回転可能とした例である。
【００２４】
図７は、花の容器１２内の軸を取り、垂直軸風車１３と花入り容器１２とが共に回転できるとした例の断面図であって、供え花１の入った容器１２内から回転軸１１を取り去り、供え花１は供え花の台１８で保持され、容器１２の上部回転軸Ｂ１１６と下部回転軸１１７が垂直軸風車１３と共に回転可能とした例である。
【００２５】
図８は、花と花立て１８１を軸保持具４より上に取り付けた例の断面図であって、回転軸１１の上に供え花１と花立て１８１を取り付けた例であり、この例の供え花１と花立て１８１は供え花１入りの容器１２であってもよい。なお、回転軸１１を供え花１または供え花１の上方に伸ばしてもよい。また、この例でベローズ８とベンチュリ１４を利用する方法の場合、垂直軸風車１３下部にベンチュリを設けるものは、整流板を軸保持具４に取り付けてもよい。
【００２６】
図９は、垂直軸風車１３の回転を減速する減速装置として、遊星歯車機構を取り付けた例の断面図であって、垂直軸風車１３に太陽歯車１３１、遊星キャリヤ１３４に
遊星歯車１３２、容器１２に内歯車１３３を設け、垂直軸風車１３の回転数より容器１２の回転数を落とす例である。
【００２７】
図１０は、回転軸１１を軸保持具４から吊り下げた例の断面図であって、回転軸１１上部の吊り下げ用フランジ４３で回転軸１１を吊り、回転軸１１下部に吊り下げ用間隙４４を設けて回転軸１１を回転可能とした例である。
【００２８】
図１１は、固定軸１１３を片持ち軸保持具４５に固定し、垂直軸風車１３と花の容器１２は共に回転できるとした例の断面図であって、固定軸１１３が片持ち軸保持具４５に固定してあり、上部回転軸Ａ１１１の上部回転軸Ａ凹部１１２に固定軸１１３の固定軸凸部１１４を回転自在に差し入れ、容器１２下部には容器軸受１２１で回転自在としてあるので、供え花１は回転せず、容器１２は垂直軸風車１３と共に回転可能とした例である。容器１２に中の供え花１が見える程度に仏画などが描いてあれば、仏画が回転するのでありがたさが増す。なお、片持ち軸保持具４５は設置台５に一体化してもよい。
【００２９】
このようにして作成されたお墓の花は、風量の増減に応じて垂直軸風車１３に当たる風の量を調整して、垂直軸風車１３と共に回転する供え花１の、容器１２のみ、又は供え花１のみ、又は容器１２と供え花１双方を回転させて趣のある供え花１とし、花はただ立っているだけで動きが無く物足りないという問題点を解消できる。
【符号の説明】
【００３０】
１      供え花
１１    回転軸
１１１  上部回転軸Ａ
１１２  上部回転軸Ａ凹部
１１３  固定軸
１１４  固定軸凸部
１１５  固定軸下端
１１６  上部回転軸Ｂ
１１７  下部回転軸
１２    容器
１２１  容器軸受
１３    垂直軸風車
１３１  太陽歯車
１３２  遊星歯車
１３３  内歯車
１３４  遊星キャリヤ
１３５  遊星歯車ピン
１３６  太陽歯車回転軸
１３７  太陽歯車回転軸凹部
１３８  内歯車回転軸
１３９  内歯車回転軸凸部
１４    ベンチュリ
１４１  ベンチュリ用小穴
１５    容器上部穴
１６    容器下部穴
１７    容器下部回転軸
１８    供え花の台
１８１  花立て
２      風量調整カバー
２１    風量調整カバーのボス
２２    風量調整カバーのボスピン
３      風量調整リンク
３１    上部リンク
３２    下部リンク
３３    ウエイト
３４    回転軸ピン
３５    ウエイトピン
３６    リンクピン
４      軸保持具
４１    上部軸受
４２    下部軸受
４３    吊り下げ用フランジ
４４    吊り下げ用間隙
４５    片持ち軸保持具
５      設置台
５１    調整脚
６      安定装置
６１    安定装置の足
７      墓石
７１    花立て孔
８      ベローズ
【要約】
【課題】従来のお墓の供え花と花立ては、花立てに水を注ぎ生花等を入れることで用を成していたので、花はただ立っているだけで動きが無く物足りないという問題点があった。本発明は、上記のような問題点を解決することを課題とするものである。
【解決手段】本発明は、供え花として造花、又は植物を模した水中花、又は薬品等により長期保存可能とした切花を使用した水中花を、容器のみ、又は供え花のみ、又は容器と供え花双方を、風の量を調整しながら風車で回転することで目的を達することを特徴とするものである。
【選択図】図１【図１】
0004690496.tif 000002
【図２】
0004690496.tif 000003
【図３】
0004690496.tif 000004
【図４】
0004690496.tif 000005
【図５】
0004690496.tif 000006
【図６】
0004690496.tif 000007
【図７】
0004690496.tif 000008
【図８】
0004690496.tif 000009
【図９】
0004690496.tif 000010
【図１０】
0004690496.tif 000011
【図１１】
0004690496.tif 000012